(57)【要約】【課題】  使用者の指の長さに対してキーの長さを調整する管楽器用調整キーを提供する。【解決手段】  楽器に枢設されるロッド状のキー本体１０を有し、該キー本体の一端に楽器の孔を塞ぐための作動ブロック１１が設けられると共に、他端に中空な調整部材１２が設けられ、該調整部材に移動可能な調整ブロック１３が設けられ、該調整ブロックの上端に押圧ボタン１４が設けられると共に、一側に複数直列の位置決め孔１３１が形成され、該調整部材１２に、一端に位置決め孔に挿入可能な位置決め端部１５１を有する位置決めピン１５が設けられることにより、位置決めブロックを位置決めすることを特徴とする。【選択図】  図１
0003124180.tif 000002
【実用新案登録請求の範囲】
【請求項１】
楽器に枢設されるロッド状のキー本体を有し、該キー本体の一端に楽器の孔を塞ぐための作動ブロックが設けられると共に、他端に中空な調整部材が設けられ、該調整部材に移動可能な調整ブロックが設けられ、該調整ブロックの上端に押圧ボタンが設けられると共に、一側に複数直列の位置決め孔が形成され、該調整部材に、一端に位置決め孔に挿入可能な位置決め端部を有する位置決めピンが設けられることにより、位置決めブロックを位置決めすることを特徴とする管楽器用調整キー。
【請求項２】
前記調整部材の外側に取付口が形成され、該取付口に取付筒が設けられ、前記位置決めピンが該取付筒を貫通することにより、位置決めピンの位置決め端部を調整ブロックの位置決め孔に位置決めすることを特徴とする請求項１に記載の管楽器用調整キー。
【請求項３】
前記調整部材の外側に取付口が形成され、該取付口に内部にねじ山を有する取付筒が設けられ、前記位置決めピンの外側にねじ山が設けられ、該位置決めピンと取付筒を螺合することにより、位置決めピンの位置決め端部を調整ブロックの位置決め孔に位置決めすることを特徴とする請求項１に記載の管楽器用調整キー。
【考案の詳細な説明】
【技術分野】
【０００１】
本考案は、特に使用者の指の長さに対してキーの長さを調整できる管楽器用調整キーに関するものである。
【背景技術】
【０００２】
管楽器は、楽器本体に複数の孔が形成されると共に、これらの孔に夫々キーが設けられている。使用者は、キーの押圧ボタンを押圧しながらキーの作動ブロックを連動することにより、楽器を演奏する。
【考案の開示】
【考案が解決しようとする課題】
【０００３】
使用者によって、その指の長さも異なることなるが、従来の管楽器用キーの長さは調整が不可能であるため、指の短い使用者は楽器を演奏する時、非常に不便である。このことから、そのキーの長さを使用者の指の長さに合わせて調整できれば、非常に便利である。
【０００４】
そこで、案出されたのが本考案であって、使用者の指の長さに対してキーの長さを調整する管楽器用調整キーを提供することを目的としている。
【課題を解決するための手段】
【０００５】
本願の請求項１の考案は、楽器に枢設されるロッド状のキー本体を有し、該キー本体の一端に楽器の孔を塞ぐための作動ブロックが設けられると共に、他端に中空な調整部材が設けられ、該調整部材に移動可能な調整ブロックが設けられ、該調整ブロックの上端に押圧ボタンが設けられると共に、一側に複数直列の位置決め孔が形成され、該調整部材に、一端に位置決め孔に挿入可能な位置決め端部を有する位置決めピンが設けられることにより、位置決めブロックを位置決めすることを特徴とする管楽器用調整キー、を提供する。
【０００６】
本願の請求項２の考案は、前記調整部材の外側に取付口が形成され、該取付口に取付筒が設けられ、前記位置決めピンが該取付筒を貫通することにより、位置決めピンの位置決め端部を調整ブロックの位置決め孔に位置決めすることを特徴とする請求項１に記載の管楽器用調整キー、を提供する。
【０００７】
本願の請求項３の考案は、前記調整部材の外側に取付口が形成され、該取付口に内部にねじ山を有する取付筒が設けられ、前記位置決めピンの外側にねじ山が設けられ、該位置決めピンと取付筒を螺合することにより、位置決めピンの位置決め端部を調整ブロックの位置決め孔に位置決めすることを特徴とする請求項１に記載の管楽器用調整キー、を提供する。
【考案の効果】
【０００８】
本考案は上記の課題を解決するものであり、キー本体の調整部材の内部における調整ブロックを移動させ、位置決めピンの位置決め端部を異なる位置決め孔に位置決めすることにより、簡単に押圧ボタンの高さ、即ちキーの長さを調整することができるので、使用上非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る管楽器用調整キーの分解斜視図であり、図２は本考案に係る管楽器用調整キーの斜視図であり、図３は本考案に係る管楽器用調整キーの調整状態を示す部分断面図である。
【００１１】
図１に示すように、本考案に係る管楽器用調整キーは、特にサクソホン用調整キーであって、ロッド状のキー本体（１０）を有し、該キー本体の中央に枢設用ピン（１０１）を貫設するために貫通孔（１００）が形成され、該キー本体（１０）の一端に楽器（符号なし）における孔（符号なし）を塞ぐための作動ブロック（１１）が設けられると共に、他端に中空な調整部材（１２）が設けられ、該調整部材（１２）は、上方に開口（１２０）が形成されると共に、下方に封閉状の底部（１２２）が設けられ、その外側に取付口（１２１）が形成され、該取付口（１２１）に内部にねじ山（１２４）を有する取付筒（１２３）が設けられ、該調整部材（１２）に開口（１２０）を通じて移動可能な調整ブロック（１３）が設けられ、該調整ブロック（１３）の上端に押圧ボタン（１４）が設けられると共に、取付孔（１２１）に対する一側に複数直列の位置決め孔（１３１）が形成され、該取付筒（１２３）内に、外側にねじ山（１５２）を有すると共に、一端に位置決め孔（１３１）に挿入可能な位置決め端部（１５１）を有する位置決めピン（１５）が設けられる。
【００１２】
図２及び図３に示すように、本考案に係る管楽器用調整キーを組合わせる際、先ずピン（１０１）によって本考案の管楽器用調整キーを楽器（符号なし）に枢設し、取付筒（１２３）を調整部材（１２）の取付口（１２１）に設置し、調整ブロック（１３）を開口（１２０）から調整部材（１２）内部に入り込み、位置決めピン（１５）を取付筒（１２３）と螺合すると共に、位置決め端部（１５１）を一つの位置決め孔（１３１）に位置決めさせる。
【００１３】
図３に示すように、キーの長さ、即ち押圧ボタン（１４）の高さを調整しようとする際、単に調整ブロック（１３）を調整部材（１２）内部に所要の高さに移動させ、位置決めピン（１５）の位置決め端部（１５１）を再び異なる位置決め孔（１３１）に位置決めすることにより、押圧ボタン（１４）の高さを調整することができる。
【産業上の利用可能性】
【００１４】
本考案は上記の構成を有すし、キー本体の調整部材の内部における調整ブロックを移動させ、位置決めピンの位置決め端部を異なる位置決め孔に位置決めすることにより、簡単に押圧ボタンの高さ、即ちキーの長さを調整することができるので、使用上非常に便利である。
【図面の簡単な説明】
【００１５】
【図１】本考案に係る管楽器用調整キーの分解斜視図である。
【図２】本考案に係る管楽器用調整キーの斜視図である。
【図３】本考案に係る管楽器用調整キーの調整状態を示す部分断面図である。
【符号の説明】
【００１６】
１０        キー本体
１００      貫通孔
１０１      ピン
１１        作動ブロック
１２        調整部材
１２０      開口
１２１      取付口
１２２      底部
１２３      取付筒
１２４      ねじ山
１３        調整ブロック
１３１      位置決め孔
１４        押圧ボタン
１５        位置決めピン
１５１      位置決め端部
１５２      ねじ山
【図１】
0003124180.tif 000003
【図２】
0003124180.tif 000004
【図３】
0003124180.tif 000005